(57)【要約】【課題】折り曲げて様々な角度に調整することができる蛇口の折り曲げ吐水口を提供する。【解決手段】蛇口の折り曲げ吐水口は、本体１を備える。本体１は、中空状を呈し、両端に第１のユニバーサルボール１１及び第２のユニバーサルボール１２がそれぞれ設けられる。第１のユニバーサルボール１１には、蛇口と組み合わされる結合部材２が配設される。結合部材２は、第１のユニバーサルボール１１に沿って旋回可能である。第２のユニバーサルボール１２には、吐水する吐水部材３が配設される。吐水部材３は、第２のユニバーサルボール１２に沿って旋回可能である。結合部材２及び吐水部材３は、それぞれ管状を呈する。吐水部材３及び結合部材２は、本体１の一側に向けて旋回可能である。【選択図】図１
0003224901.tif 000002
【実用新案登録請求の範囲】
【請求項１】
本体を備えた、蛇口の折り曲げ吐水口であって、
前記本体は、中空状を呈し、両端に第１のユニバーサルボール及び第２のユニバーサルボールがそれぞれ設けられ、
前記第１のユニバーサルボールには、蛇口と組み合わされる結合部材が配設され、
前記結合部材は、前記第１のユニバーサルボールに沿って旋回可能であり、
前記第２のユニバーサルボールには、吐水する吐水部材が配設され、
前記吐水部材は、前記第２のユニバーサルボールに沿って旋回可能であり、
前記結合部材及び前記吐水部材は、それぞれ管状を呈し、
前記結合部材の延長方向には、第１の延長線が形成され、
前記吐水部材の延長方向には、第２の延長線が形成され、
前記吐水部材及び前記結合部材は、前記本体の一側に向けて旋回可能であり、最も近づけられたときの前記第１の延長線と前記第２の延長線とのなす夾角は、７５度より大きくて１１０度より小さいことを特徴とする蛇口の折り曲げ吐水口。
【請求項２】
前記結合部材には、環状のシールリングが配設され、
前記シールリング上には、フィルタが取り付けられ、
前記結合部材の外縁には、レンチが嵌入可能な１対の凹面が互いに平行に設けられ、
前記結合部材は、前記第１のユニバーサルボールから離れる方向で突出して徐々に縮小する凸部を有し、
前記凸部上には、前記本体の内部と連通する開口部が形成されていることを特徴とする請求項１に記載の蛇口の折り曲げ吐水口。
【請求項３】
Ｌ字状のジョイントをさらに備え、
前記ジョイントは、装着部及び接続部を有し、
前記ジョイントは、前記接続部を介して前記結合部材に接続され、
前記装着部は、吐水口が下向きの蛇口に取り付けられることを特徴とする請求項１に記載の蛇口の折り曲げ吐水口。
【考案の詳細な説明】
【技術分野】
【０００１】
本考案は、蛇口の吐水口に関し、特に、折り曲げて様々な角度に調整することができる蛇口の折り曲げ吐水口に関する。
【背景技術】
【０００２】
従来市販されている代表的な蛇口は、水道水を下向きでしか供給できず、手を洗ったり、水を汲んだり、物を洗ったり、水槽を洗浄したりするために用いられていたが、使用者が顔を洗うときは、水道水を両手で受けて顔に掛けるしかなかった。しかし、上述したような顔を洗う方式には、以下（１）〜（４）の問題があった。
（１）水を手で受けるときに指の間から水が流れ落ちて水が浪費された。
（２）使用者が水を顔に掛ける際、水を正確に顔に掛けることが困難なため、使用者は顔に向かって水を複数回掛けなければ、顔を完全に洗い清めることはできなかった。
（３）顔を洗浄する際、蛇口から流れ出た水道水を両手で受けてから顔に向かって掛ける動作を行わなければならなかったため、多くの時間がかかった。
（４）手で水を受けて顔に向かって水を掛ける方式は、大きな面積で水を掛けることができたが、顔の形状が不規則であるため、顔に掛けられた水が広い範囲に撥ねてしまい、洗面台の周囲が濡れて汚くなり易く、時間が多くかかる上、水資源が無駄となった。
【０００３】
上述したような問題を改善するために、図７〜図１０に示すような蛇口が開発されている。図７に示すような従来の蛇口は、本体９１と、可撓性の長形吐水口９２とから構成されてなる。長形吐水口９２は、複数の接続部材により構成される。接続部材は、一端にユニバーサルジョイント（ｕｎｉｖｅｒｓａｌ  ｊｏｉｎｔ）が設けられ、他端にはユニバーサルジョイントが接続される接続溝が形成され、長形吐水口９２が多関節状に形成されているため折り曲げることができ（一般にコイル状水管（ｃｏｉｌ  ｗａｔｅｒ  ｔｕｂｅ）と称される）、使用者は長形吐水口９２を折り曲げることにより、水道水の吐水位置を調整し、上述したような問題を改善することができたが、このような蛇口は、長形吐水口９２の全長が長すぎて使用空間に干渉してしまい、曲げ半径が大きいため使い難かった。
【０００４】
図８に示すような従来の蛇口は、本体９３と、互いに枢着されて上下に配置された連管９４，９５と、により構成される。連管９４は、本体９３に接続され、連管９５の末端には、吐水口９６が旋回可能に枢着され、２つの連管９４，９５が旋回可能に枢着され、吐水口９６を旋回可能に枢着する方式により、水道水の吐水位置を調整することができたが、蛇口の連管９４，９５の長さが固定され、吐水口９６を連管９４，９５の延長方向に対して垂直にしか旋回させることができなかったため、吐水位置の調整には限界があった（例えば、連管の延長方向に対して平行な吐水位置）。
【０００５】
図９に示すような従来の蛇口は、ヨーロッパでよく見かけるビデ（ｂｉｄｅｔ）に用いられ、本体９７及びコネクタ９８により構成される。コネクタ９８は、接続部９８１及び吐水部材９８２を有する。接続部９８１は、一端が本体９７に固定され、他端にはユニバーサルボール（図示せず）が設けられている。吐水部材９８２は、ユニバーサルボールに嵌設され、ユニバーサルボールに沿って旋回し、使用者は、ユニバーサルボールに設けられた吐水部材を旋回させて吐水位置を調整することができたが、このような蛇口は、１つのユニバーサルボールしか備えていなかったため、調整可能な角度には限界があった。そのため、使用者は、吐水部材９８２の調整角度に対応させ、洗浄する部位を調整しなければ洗浄することができず、使い難かった。
【０００６】
図１０に示すような従来の蛇口は、本体９９と、旋回可能な吐水口９９１とから構成されるため、使用者は、吐水口９９１を旋回させる方式で水道水の吐水位置を調整することができるが、このような水道水の吐水口は円周に沿った旋回しかしないため、吐水口９９１の延長方向（即ち、使用者に向かう方向）に吐水することはできなかった。このように調整した吐水位置が依然として制限を受けていたため、身長が異なる使用者は、吐水口９９１を使用者の顔に向けて調整することができず、使い難かった。
【考案の概要】
【考案が解決しようとする課題】
【０００７】
本考案の主な目的は、第１のユニバーサルボール及び第２のユニバーサルボールの設計により、結合部材及び吐水部材をそれぞれ旋回可能に枢着させ、吐水部材により調整可能な給水位置を大きく高めることができる上、本体の全長が短いため、吐水部材が長すぎて使用空間を邪魔し、吐水部材が広いスペースを要しない、蛇口の折り曲げ吐水口を提供することにある。
【課題を解決するための手段】
【０００８】
上記課題を解決するために、本考案の第１の形態によれば、本体を備えた、蛇口の折り曲げ吐水口であって、前記本体は、中空状を呈し、両端に第１のユニバーサルボール及び第２のユニバーサルボールがそれぞれ設けられ、前記第１のユニバーサルボールには、蛇口と組み合わされる結合部材が配設され、前記結合部材は、前記第１のユニバーサルボールに沿って旋回可能であり、前記第２のユニバーサルボールには、吐水する吐水部材が配設され、前記吐水部材は、前記第２のユニバーサルボールに沿って旋回可能であり、前記結合部材及び前記吐水部材は、それぞれ管状を呈し、前記結合部材の延長方向には、第１の延長線が形成され、前記吐水部材の延長方向には、第２の延長線が形成され、前記吐水部材及び前記結合部材は、前記本体の一側に向けて旋回可能であり、最も近づけられたときの前記第１の延長線と前記第２の延長線とのなす夾角は、７５度より大きくて１１０度より小さいことを特徴とする蛇口の折り曲げ吐水口が提供される。
【図面の簡単な説明】
【０００９】
【図１】図１は、本考案の第１実施形態に係る蛇口の折り曲げ吐水口を示す分解斜視図である。
【図２】図２は、本考案の第１実施形態に係る蛇口の折り曲げ吐水口を示す斜視図である。
【図３】図３は、本考案の第１実施形態に係る蛇口の折り曲げ吐水口を示す側面図である。
【図４】図４は、本考案の第１実施形態に係る蛇口の折り曲げ吐水口の吐水部材を下向きにして手を洗うときの使用状態の説明図である。
【図５】図５は、本考案の第１実施形態に係る蛇口の折り曲げ吐水口の吐水部材を上向きにして顔を洗うときの使用状態の説明図である。
【図６】図６は、本考案の第２実施形態に係る蛇口の折り曲げ吐水口を示す分解斜視図である。
【図７】図７は、従来技術の蛇口（１）を示す斜視図である。
【図８】図８は、従来技術の蛇口（２）を示す斜視図である。
【図９】図９は、従来技術の蛇口（３）を示す斜視図である。
【図１０】図１０、従来技術の蛇口（４）を示す斜視図である。
【考案を実施するための形態】
【００１０】
（第１実施形態）
図１〜図５を参照する。図１〜図５に示すように、本考案の第１実施形態に係る蛇口の折り曲げ吐水口は、少なくとも本体１、結合部材２及び吐水部材３から構成されてなる。
【００１１】
図１〜図３を参照する。図１〜図３に示すように、本体１は中空状を呈し、両端に第１のユニバーサルボール１１及び第２のユニバーサルボール１２がそれぞれ設けられる。本体１の第１のユニバーサルボール１１と第２のユニバーサルボール１２との間には、首部１３が設けられる。第１のユニバーサルボール１１は、結合部材２を有する。結合部材２は、第１のユニバーサルボール１１に沿って旋回可能である。結合部材２は、第１のユニバーサルボール１１から離れる方向で突出して徐々に縮小する凸部２１を有する。凸部２１上には、本体１の内部と連通する開口部２２が形成されている。結合部材２の外縁には、ねじ部２３と、互いに平行に設けられた凹面２４と、が設けられ、使用者はレンチ（図示せず）を１対の凹面２４に嵌入させ、ねじ部２３を介し、吐水孔が水平方向を向く蛇口４１（例えば、ヨーロッパで一般によく見かける蛇口）に結合部材２を螺設させる。第２のユニバーサルボール１２には、吐水部材３が配設される。吐水部材３は、第２のユニバーサルボール１２に沿って旋回可能である。好ましくは、結合部材２には、環状のシールリング２５が配設される。シールリング２５上には、不純物を濾過するフィルタ２６が取り付けられ、シールリング２５を介して結合部材２と蛇口との密着度が高まり、水道水が漏れ出ることを防ぐことができる。
【００１２】
図３を参照する。図３に示すように、結合部材２及び吐水部材３は、それぞれ管状を呈する。結合部材２の延長方向には、第１の延長線Ａが形成される。吐水部材３の延長方向には、第２の延長線Ｂが形成される。吐水部材３及び結合部材２は、本体１の一側に向かって旋回可能であり、最も近づけられたときの第１の延長線Ａと第２の延長線Ｂとのなす夾角θは、７５度より大きくて１１０度より小さい。夾角θにより吐水部材３及び結合部材２を本体１に対して大きく旋回させることができるが、夾角θが７５度より小さい場合、吐水部材３の旋回可能な角度が小さすぎて吐水方向が使用者の首部、胸部、腹部にしか向けることができず、上向きに吐水して顔部を洗ったり、下向きにして手を洗ったり、様々な方向へ向けて吐水して水槽を洗浄したりすることが困難なことが実験結果から分かっている。そのため、夾角θの設定には重要な意義があり、夾角θが１１０度より大きいか１１０度より僅かに超えた場合でも、その水流が傾いて不必要な方向（例えば、鏡に向ける方向は、吐水が落下する位置が水槽の範囲を越えやすい）に向くため、試験結果に基づき、本考案の夾角θを７５度より大きくて１１０度より小さいように設定した。
【００１３】
勿論、吐水部材３は、第２のユニバーサルボール１２の一側に向けて形成された切欠溝（図示せず）でもよく、この切欠溝を介して首部１３により吐水部材３を大きな角度で調整できるようにしてもよい。
【００１４】
上述した構造からなる第１実施形態を実際に使用すると分かるように、ユーザはレンチだけを使用し、結合部材２のねじ部２３を、吐水孔が水平方向を向く蛇口４１に螺設して組み立てることができる。図４に示すように、使用者が手を洗う場合、吐水部材３を下向きに旋回させると、蛇口４１の水道水を下向きに放出させることができる。図５に示すように、使用者が顔を洗う場合、吐水部材３を上向きに旋回させると、水道水が顔部に掛かり、顔部をきれいに洗浄することができる。
【００１５】
上述した説明から分かるように、第１実施形態の長所は、第１のユニバーサルボール１１及び第２のユニバーサルボール１２の設計により、結合部材２及び吐水部材３をそれぞれ旋回可能に枢着させ、吐水部材３の結合部材２に対する揺動角度を大きくすることにより、第１実施形態は、吐水部材３が調整可能な給水位置を高くすることができる。また、第１実施形態は、従来の継手が長すぎて大きな空間を占め、回転半径が大きすぎて使用し難くなる従来技術と異なり、第１実施形態の吐水口は、本体１が短いため、広いスペースを要さず、第１のユニバーサルボール１１及び第２のユニバーサルボール１２の設計に応じて様々な角度に容易に調整し、蛇口を下向きにして洗浄したり、蛇口を上向きにして顔などを洗ったりすることができる。
【００１６】
（第２実施形態）
図６を参照する。図６に示すように、本考案の第２実施形態に係る蛇口の折り曲げ吐水口は、第１実施形態を基礎にするが、装着部５１及び接続部５２を有するＬ字状のジョイント５を備える点が異なる。装着部５１及び接続部５２は、ねじ部をそれぞれ有し、互いに組み合わせることができる。ジョイント５は、接続部５２のねじ部を介して結合部材２に接続される。装着部５１は、ねじ部を介して吐水口が下向きの蛇口４２に組み合わされる。上述した構造で構成された第２実施形態の蛇口の折り曲げ吐水口は、実際に使用する際、使用者は、まず、吐水口が下方を向いた蛇口４２にジョイント５の装着部５１を組み合わせてから、その結合部材２のねじ部２３を介して吐水口を接続部５２に螺設して組立てを完成させる。
【００１７】
上述した説明から分かるように、第２実施形態の長所は、第１のユニバーサルボール１１及び第２のユニバーサルボール１２の設計により、結合部材２及び吐水部材３をそれぞれ旋回可能に枢着させ、吐水部材３が調整可能な給水位置を高くすることができる。そのため、本考案の蛇口の折り曲げ吐水口は、本体１が短く、広いスペースを要しない。
【符号の説明】
【００１８】
１  本体
２  結合部材
３  吐水部材
５  ジョイント
１１  第１のユニバーサルボール（ｆｉｒｓｔ  ｕｎｉｖｅｒｓａｌ  ｂａｌｌ）
１２  第２のユニバーサルボール（ｓｅｃｏｎｄ  ｕｎｉｖｅｒｓａｌ  ｂａｌｌ）
１３  首部
２１  凸部
２２  開口部
２３  ねじ部
２４  凹面
２５  シールリング
２６  フィルタ
４１  蛇口
４２  蛇口
５１  装着部
５２  接続部
９１  本体
９２  長形吐水口（ｌｏｎｇ  ｗａｔｅｒ  ｏｕｔｌｅｔ  ｈｅａｄ）
９３  本体
９４  連管
９５  連管
９６  吐水口（ｗａｔｅｒ  ｏｕｔｌｅｔ  ｈｅａｄ）
９７  本体
９８  コネクタ
９９  本体
９８１  接続部
９８２  吐水部材
９９１  吐水口
Ａ  第１の延長線
Ｂ  第２の延長線
θ  夾角
【図１】
0003224901.tif 000003
【図２】
0003224901.tif 000004
【図３】
0003224901.tif 000005
【図４】
0003224901.tif 000006
【図５】
0003224901.tif 000007
【図６】
0003224901.tif 000008
【図７】
0003224901.tif 000009
【図８】
0003224901.tif 000010
【図９】
0003224901.tif 000011
【図１０】
0003224901.tif 000012